(57)【要約】【課題】壁に当接するように放置するごみ箱の提供。【解決手段】平坦な背部を具えたベースと、ベースに取り付けられると共にベースの背部と平らに揃う背部を具えた筒と、ベース或いは筒に取り付けられるペダル、内筒に取り付けられると共にベースの背部と揃う背部を具えたヒンジと、回転自在にヒンジに枢接された蓋と、ペダルと蓋に連接すると共に筒内に収容された制御ロッドと、を具えている。【選択図】　　　　図１
2004115162.tif 000002
【特許請求の範囲】
【請求項１】
平坦な背部を具えたベースと、ベースの上に取り付けられると共にベースの背部と平らに揃う背部を具えた筒と、ベース或いは筒に取り付けられるペダル、筒内に取り付けられると共にベースの背部と揃う背部を具えたヒンジと、回転自在にヒンジに枢接された蓋と、ペダルと蓋に連接されると共に筒内に収容された制御ロッドと、を具えた、ごみ箱。
【請求項２】
請求項１に記載のごみ箱において、筒内に内筒が設けられたことを特徴とする、ごみ箱。
【請求項３】
請求項２に記載のごみ箱において、内筒が凹背を具えて筒の平坦背部と共同で制御ロッドを収容する空間を画定したことを特徴とする、ごみ箱。
【請求項４】
請求項１に記載のごみ箱において、ハンドルを具え、該ハンドルが中間部分と中間部分より横向きに延伸された二つの末端部分を具え、ハンドルの末端部分が移動可能にヒンジに挿入されて延伸位置と内蔵位置の間を移動可能とされ、使用時に延伸位置とされ、不使用時に内蔵位置とされることを特徴とする、ごみ箱。
【請求項５】
請求項４に記載のごみ箱において、ヒンジの上面に凹部が設けられてハンドル操作に便利とされたことを特徴とする、ごみ箱。
【請求項６】
ベースと、ベースの上に設けられた筒と、ベースと筒の一方に設けられたペダルと、筒の上部に設けられたヒンジと、ヒンジに枢接された蓋と、ペダルと蓋の間に連接された制御ロッドと、中間部分と中間部分より横向きに延伸された二つの末端部分を具えて末端部分が移動可能にヒンジに挿入されて延伸位置と内蔵位置の間を移動可能とされ、使用時に延伸位置とされ、不使用時に内蔵位置とされるハンドルと、を具えたことを特徴とする、ごみ箱。
【請求項７】
請求項６に記載のごみ箱において、ヒンジの上面に凹部が設けられてハンドル操作に便利とされたことを特徴とする、ごみ箱。
【発明の詳細な説明】
【０００１】
【発明の属する技術分野】
本発明は一種のごみ箱に係り、特に壁に当接するように放置するごみ箱に関する。
【０００２】
【従来の技術】
人々はごみをごみ箱に廃棄する。このようなごみは廃棄後に時間が経つと悪臭を発生し、また、ごみは見た目が悪いため、ゴミの臭いを筒内に保存するか或いはただゴミを内蔵するため、ごみ箱には蓋が設けられる。
【０００３】
このような蓋はごみ箱から取り外すことができる。しかし、このような蓋は使用者に面倒をかけ、それは使用者がごみを捨てる時に蓋を握持しなければならないか、或いはごみを廃棄する前に蓋を置く場所を探さねばならない。
【０００４】
図８はよく目にするごみ箱３０であり、それは、ベース３２、ベース３２に取り付けられる筒３４、筒３４に回転自在に連接されるペダル３６、ヒンジ４０とペダル３６と蓋３８間の連接手段を透過して筒３４に枢接される蓋３８を具えている。筒３４はベース３２の上に取り付けられる。ペダル３６は回転自在に筒３４に設置される。蓋３８はヒンジ４０を透過して筒３４の上に設けられる。ペダル３６と蓋３８は連接棒機構を透過して相互に連接される。こうして、ペダル３６を踏むと蓋３８が回転して開く。ヒンジ４０は筒３４の内背面に設けられるため、ごみ箱３０を壁に当接させて置くことは不可能である。このほか、ヒンジ４０にハンドル４２が取り付けられてごみ箱３０を手に提げるのに便利である。しかしそれは見た目が悪い。
【０００５】
【発明が解決しようとする課題】
本発明の主要な目的は、壁に当接させて放置できるごみ箱を提供することにある。
【０００６】
【課題を解決するための手段】
請求項１の発明は、平坦な背部を具えたベースと、ベースの上に取り付けられると共にベースの背部と平らに揃う背部を具えた筒と、ベース或いは筒に取り付けられるペダル、筒内に取り付けられると共にベースの背部と揃う背部を具えたヒンジと、回転自在にヒンジに枢接された蓋と、ペダルと蓋に連接されると共に筒内に収容された制御ロッドと、を具えた、ごみ箱としている。
請求項２の発明は、請求項１に記載のごみ箱において、筒内に内筒が設けられたことを特徴とする、ごみ箱としている。
請求項３の発明は、請求項２に記載のごみ箱において、内筒が凹背を具えて筒の平坦背部と共同で制御ロッドを収容する空間を画定したことを特徴とする、ごみ箱としている。
請求項４の発明は、請求項１に記載のごみ箱において、ハンドルを具え、該ハンドルが中間部分と中間部分より横向きに延伸された二つの末端部分を具え、ハンドルの末端部分が移動可能にヒンジに挿入されて延伸位置と内蔵位置の間を移動可能とされ、使用時に延伸位置とされ、不使用時に内蔵位置とされることを特徴とする、ごみ箱としている。
請求項５の発明は、請求項４に記載のごみ箱において、ヒンジの上面に凹部が設けられてハンドル操作に便利とされたことを特徴とする、ごみ箱としている。
請求項６の発明は、ベースと、ベースの上に設けられた筒と、ベースと筒の一方に設けられたペダルと、筒の上部に設けられたヒンジと、ヒンジに枢接された蓋と、ペダルと蓋の間に連接された制御ロッドと、中間部分と中間部分より横向きに延伸された二つの末端部分を具えて末端部分が移動可能にヒンジに挿入されて延伸位置と内蔵位置の間を移動可能とされ、使用時に延伸位置とされ、不使用時に内蔵位置とされるハンドルと、を具えたことを特徴とする、ごみ箱としている。
請求項７の発明は、請求項６に記載のごみ箱において、ヒンジの上面に凹部が設けられてハンドル操作に便利とされたことを特徴とする、ごみ箱としている。
【０００７】
【発明の実施の形態】
本発明によると、ごみ箱は、平坦な背部を具えたベースと、ベースに取り付けられると共にベースの背部と平らに揃う背部を具えた筒と、ベース或いは筒に取り付けられるペダル、内筒に取り付けられると共にベースの背部と揃う背部を具えたヒンジと、回転自在にヒンジに枢接された蓋と、ペダルと蓋に連接されると共に筒内に収容された制御ロッドと、を具えている。ベースは平坦な背部を具え、筒はベースの上に設けられると共にベースの背部と平らに揃う背部を具えている。ペダルはベース或いは内筒に設けられる。ヒンジは内筒に設けられると共にベースの背部と揃う平坦な背部を具えている。蓋はヒンジに枢接される。制御ロッドはペダルと蓋に連接され並びに筒内に収容される。内筒には凹背面が設けられ、内筒の凹背面と筒の平坦な背部が共同で制御ロッドを収容する空間を画定する。ペダルは一つの方向にあってベースに組み合わされる。ペダルは細長い部品で、第１末端と第２末端を具え、ならびにほとんどがベース内部に収容されるが、第１末端がベースの前方の開口より延伸される。
【０００８】
ごみ箱はハンドルを具備する形態とされうる。ハンドルは中間部分と該中間部分より横向きに延伸された二つの末端部分を具えている。ハンドルの末端部分は動作可能にヒンジに挿入され、延伸位置及び内蔵位置の間を移動可能で、使用時には延伸位置間に挿入され、不使用時には内蔵位置間に挿入される。
【０００９】
ヒンジの上面に凹部が設けられ上面でのハンドル操作に便利とされている。蓋の上面にも凹部が設けられている。これらの凹部が共同で円形或いは楕円形の凹部を形成してハンドル操作に有利とされている。
【００１０】
【実施例】
図１は本発明の第１実施例を示し、ごみ箱２は壁に当接するように放置される。
【００１１】
図２及び図３を参照されたい。ごみ箱２は、ベース４、ベース４に枢接されたペダル６、筒７、内筒８、ヒンジ１０、及びヒンジ１０に枢接された蓋１２で組成されている。ペダル６はベース４に枢接される。筒７はベースの上に設けられる。内筒８は筒７内に置かれる。ヒンジ１０は内筒８に設けられる。蓋１２はヒンジ１０に枢接される。
【００１２】
ベース４は平坦な背部を具えている。筒７は平坦背部１４を有し、該平坦背部１４はベース４の平坦な背部と平らに揃う。ヒンジ１０は平坦な背部を粗な和えてベース４の平坦な背部と平らに揃う。こうしてごみ箱２が壁に当接するよう放置される。
【００１３】
図４に示されるように、ペダル６は細長い部品とされ、第１端と第２端を具えている。ペダル６はほぼベース４の内部に位置するが、第１端がベース４前方の開口より突出している。これにより、ペダル６の第１端が踏むのに供される。ピン１６がペダル６をベース４に枢接する。ペダル６は制御ロッド１８に連接されている。制御ロッド１８は第１端と第２端を具えている。第１端はペダル６の第２端に枢接され、第２端は蓋１２に枢接されている。こうして、ペダル６の第１端を踏むと、蓋１２が回転して図４の位置から図５の位置に移動する。
【００１４】
内筒８は凹背２０を具え、外筒７の平坦背部１４との間に制御ロッド１８を収容する空間が形成される。
【００１５】
図５に示されるように、ハンドル２２は中間部分と、該中間部分より横向きに延伸された末端部分を具えている。ハンドル２２の末端部分は動作可能にヒンジ１０に挿入される。こうして、ハンドル２２は使用時に延伸位置に移動させられ、不使用時には内蔵位置に移動させられる。ヒンジ１０の上面に凹部２４が設けられ、且つ蓋１２の上面に凹部２６が設けられている。これら凹部２４、２６が共同で円形或いは楕円形の凹部を形成し、ハンドル２２操作に有利とされている。
【００１６】
図７は本発明の第２実施例のごみ箱を示す。この実施例は第１実施例と同じであるが異なる外観を有している。
【００１７】
【発明の効果】
本発明は壁に当接するよう設置されるごみ箱を提供し、それは新規性、進歩性及び産業上の利用価値を有している。なお、本発明に基づきなしうる細部の修飾或いは改変は、いずれも本発明の請求範囲に属するものとする。
【図面の簡単な説明】
【図１】本発明の第１実施例のごみ箱の正面図である。
【図２】本発明の第１実施例のごみ箱の背面図である。
【図３】本発明の第１実施例のごみ箱の分解図である。
【図４】本発明の第１実施例のごみ箱の横断面図である。
【図５】本発明の第１実施例のごみ箱の拡大部分横断面図である。
【図６】本発明の第１実施例のごみ箱の開放の位置を示す。
【図７】本発明の第２実施例のごみ箱の正面図である。
【図８】周知のごみ箱の横断面図である。
【符号の説明】
２　ごみ箱　　　　　　４　ベース
６　ペダル　　　　　　７　筒
８　内筒　　　　　　１０　ヒンジ
１２　蓋　　　　　　１４　平坦背部
１６　ピン　　　　　１８　制御ロッド
２０　凹背　　　　　２２　ハンドル
２４　凹部　　　　　２６　凹部
３０　ごみ箱　　　　３２　ベース
３４　筒　　　　　　３６　ペダル
３８　蓋　　　　　　４０　ヒンジ
４２　ハンドル
【図１】
2004115162.tif 000003
【図２】
2004115162.tif 000004
【図３】
2004115162.tif 000005
【図４】
2004115162.tif 000006
【図５】
2004115162.tif 000007
【図６】
2004115162.tif 000008
【図７】
2004115162.tif 000009
【図８】
2004115162.tif 000010